(57)【要約】【課題】検出精度が悪化することを防止し、製造面においても有利な印刷機を提供する。【解決手段】版が巻き付けられる版胴４と、版胴４に向けて版を移動させるための駆動可能な給版装置６と、を備えた印刷機であって、版胴４から離間して配置され、給版装置６の駆動により版胴４における版の移動方向先端部が位置する部分までの距離を検出するセンサ１９を備えている。【選択図】  図１
2020175589.tif 000002
【特許請求の範囲】
【請求項１】
版が巻き付けられる版胴と、該版胴に向けて版を移動させるための駆動可能な給版装置と、を備えた印刷機であって、
前記版胴から離間して配置され、前記給版装置の駆動により前記版胴における版の移動方向先端部が位置する部分までの距離を検出するセンサを備えていることを特徴とする印刷機。
【請求項２】
前記版胴は、前記給版装置の駆動により移動した版の移動方向先端部を咥える咥え側万力を備え、前記給版装置の駆動により前記版胴における版の移動方向先端部が位置する部分が、前記咥え側万力の部分であることを特徴とする請求項１に記載の印刷機。
【請求項３】
前記版胴を覆うように配置される開閉自在な安全カバーを備え、該安全カバーに前記センサを取り付けていることを特徴とする請求項１又は２に記載の印刷機。
【請求項４】
前記版胴は、巻き付けられた版の移動方向後端部を咥える咥え尻側万力を備え、前記センサは、前記咥え側万力の部分で版の移動方向先端部が位置する部分までの距離を検出し、かつ、前記咥え尻側万力の部分で版の移動方向後端部が位置する部分までの距離を検出することを特徴とする請求項２又は３に記載の印刷機。
【発明の詳細な説明】
【技術分野】
【０００１】
本発明は、印刷機に関するものである。
【背景技術】
【０００２】
かかる印刷機では、版が巻き付けられる版胴と、該版胴に向けて版を移動させるための駆動可能な給版装置と、を備え、前記版胴には、給版装置を駆動して版を版胴側へ移動させたときに、版の移動方向先端部が係合して版胴に対して位置決めされる見当合わせピン（位置決めピンともいう）を備えている。
【０００３】
そして、給版装置の駆動により版胴に向けて版を移動させた時に、版胴に対して正しく位置しているか否かを検出する検出手段を設けている。この検出手段は、見当合わせピンを利用した構成である。具体的には、見当合わせピンにソレノイドコイルと該ソレノイドコイル内を移動可能な可動子とを配置し、給版装置により移動する版の移動方向先端部に押されて可動子がソレノイドコイル内を移動することにより、版の移動方向先端部の位置を検出して、版の移動方向先端部が版胴に対して正しく位置しているか否かを検出するようにしている（例えば、特許文献１）。
【先行技術文献】
【特許文献】
【０００４】
【特許文献１】特開２０００−２８９１８８号公報
【発明の概要】
【発明が解決しようとする課題】
【０００５】
前記特許文献１では、見当合わせピンにインキローラからのインキが付着することがあり、これに伴い可動子の動きが悪くなり、版の移動方向先端部が版胴に対して正しく位置しているか否かを検出する検出精度が悪化してしまうことがあった。
【０００６】
また、回転する版胴に配置される前記検出手段からの信号を版胴の外部に配置されている制御部に伝達するために版胴の回転軸部にスリップリング等の特殊な信号伝達手段が必要となり、製造面において不利であり、早期改善が要望されている。
【０００７】
本発明はこのような問題を解決するためになされたもので、検出精度が悪化することを防止し、製造面においても有利な印刷機を提供することである。
【課題を解決するための手段】
【０００８】
上記目的を達成するため、本発明に係る印刷機は、版が巻き付けられる版胴と、該版胴に向けて版を移動させるための駆動可能な給版装置と、を備えた印刷機であって、前記版胴から離間して配置され、前記給版装置の駆動により前記版胴における版の移動方向先端部が位置する部分までの距離を検出するセンサを備えていることを特徴としている。
【０００９】
上記構成によれば、給版装置の駆動により移動する版の移動方向先端部が位置する部分までの距離をセンサで検出する。そして、センサで検出した距離と版の移動方向先端部が版胴に対して正規の位置に位置している場合の、版の正規位置の予め設定（測定）された距離との差を求め、その差が許容範囲であるか否かを判断すれば、版の移動方向先端部が版胴に対して正しく位置しているか否かを判断できる。しかも、センサを版胴から離間して備えているので、版胴自体に検出手段を設けた場合に発生する不都合、つまりインキ付着による検出精度の悪化や版胴の回転軸部にスリップリング等の特殊な信号伝達手段を設けることによるコスト面での不利を解消できる。
【００１０】
また、本発明に係る印刷機は、前記版胴が、前記給版装置の駆動により移動した版の移動方向先端部を咥える咥え側万力を備え、前記給版装置の駆動により前記版胴における版の移動方向先端部が位置する部分が、前記咥え側万力の部分であってもよい。
【００１１】
上記のように、版の移動方向先端部が位置する部分が咥え側万力の部分であれば、版の検出に必要となる特別な部材等を設ける必要がなく、設計がし易い。
【００１２】
また、本発明に係る印刷機は、前記版胴を覆うように配置される開閉自在な安全カバーを備え、該安全カバーに前記センサを取り付けていてもよい。
【００１３】
上記のように、センサを開閉自在な安全カバーに取り付けているので、版胴の点検保守時に安全カバーを開放すると、安全カバーと一緒にセンサが移動するので、点検保守時にセンサが邪魔になることがない。
【００１４】
また、本発明に係る印刷機は、前記版胴が、巻き付けられた版の移動方向後端部を咥える咥え尻側万力を備え、前記センサは、前記咥え側万力の部分で版の移動方向先端部が位置する部分までの距離を検出し、かつ、前記咥え尻側万力の部分で版の移動方向後端部が位置する部分までの距離を検出する構成であってもよい。
【００１５】
咥え側万力の部分で版の移動方向先端部が位置する部分までの距離をセンサにより検出し、かつ、咥え尻側万力の部分で版の移動方向後端部が位置する部分までの距離をセンサにより検出することによって、版が版胴に確実に装着されているか判断することができる。この場合、センサで検出した距離と、版の端部（移動方向先端部及び移動方向後端部）が版胴に対して正規の位置に位置している場合の、版の正規位置の予め設定（測定）された距離との差を求め、その差が許容範囲であるか否かを判断すれば、版の端部（移動方向先端部及び移動方向後端部）が版胴に対して正しく位置しているか否かを判断できる。また、センサが咥え尻側万力の部分で版の移動方向後端部を検出する構成であれば、検出に必要となる特別な部材等を設ける必要がなく、設計がし易い。
【発明の効果】
【００１６】
本発明によれば、版胴の外部に備えたセンサで版の移動方向先端部が位置する部分における版までの距離を検出することによって、検出精度が悪化することを防止し、製造面においても有利な印刷機を提供することができる。
【図面の簡単な説明】
【００１７】
【図１】印刷機に備える印刷部の要部を示す側面図である。
【図２】同印刷部に備える咥え側保持部に版が正常に咥えられた状態を示す要部の側面図である。
【図３】同印刷部に備える咥え側保持部の手前で版が止まった状態を示す要部の側面図である。
【図４】同印刷部に備える咥え側保持部の第１咥え板に版が乗り上げた状態を示す要部の側面図である。
【図５】版胴に巻き付けられた版の咥え尻側端部が咥え尻側保持部に正常に咥えられた状態を示す要部の側面図である。
【図６】版胴に巻き付けられた版の咥え尻側端部が咥え尻側保持部に咥えられなかった状態を示す要部の側面図である。
【図７】版胴に巻き付けられた版の咥え尻側端部が咥え尻側保持部に咥えられる直前の状態を示す要部の側面図である。
【図８】版胴の正面図である。
【図９】版胴の要部の斜視図である。
【図１０】安全カバーが上方の開放位置に位置している状態を示す印刷部の要部の側面図である。
【発明を実施するための形態】
【００１８】
以下、本発明の印刷機を、図面を参照しながら説明する。
【００１９】
印刷機は、上流側に給紙部（図示せず）を備え、下流側に排紙部（図示せず）を備え、それら中間に図示していない印刷部（印刷ユニットとも呼ばれる）を配設している。印刷部は、印刷に使用するインキの色の数だけ設けられるが、ここでは、１個の印刷部のみを説明する。
【００２０】
印刷部は、図１に示すように、左右の側壁１，１（図１では一方の側壁１のみ図示している）を備える本体２と、本体２に内装され版３を巻き付けるための版胴４と、版胴４にインキを供給する複数のインキローラ５と、版３を版胴４に供給するための給版装置６と、を備えている。版胴４は、本体２の左右の側壁１，１に回転自在に軸支されている。また、ゴム胴（ブランケット胴とも呼ばれる）７が、版胴４に転接可能に配置されている。ゴム胴７には、図示していない圧胴が転接可能に配置されて、圧胴で搬送される印刷用紙にゴム胴７のインキが転写される。尚、給版装置６は、版胴４から版３を排出するための排版装置としての機能も有している。
【００２１】
本体２は、両側壁１，１間の下流側、つまり版胴４の印刷用紙の搬送方向下流側（図では左側）を覆う安全カバー８を備えている。この安全カバー８は、両側壁１，１間に上下動（昇降）可能に取り付けられている。したがって、安全カバー８を上方に手動力又は電動力等を用いて移動させることにより、両側壁１，１間の下流側の下方を開放して（図１０参照）、本体２の内部を点検できるようにしている。尚、給版装置６は、安全カバー８に支持されている。
【００２２】
版胴４には、凹状の溝９が幅方向略全域に形成され、その溝９内に版３を周面に巻き付けるために該版３の移動方向先端部（咥え側端部）を保持する咥え側保持部１０及び版胴４に巻き付けられた版３の移動方向後端部（咥え尻側端部）を保持する咥え尻側保持部１１を周方向に対となるように配置している。
【００２３】
咥え側保持部１０は、版３の咥え側端部を咥える咥え側万力から構成されている。この咥え側万力は、溝９内のうちの版胴４の回転方向上流側に固定される第１万力台１０Ａと、第１万力台１０Ａに対向して配置され第１万力台１０Ａとで版３の一端部を挟み込んだ状態で保持する閉じ位置と該版３の咥え側端部を挟み込んだ状態を解除する開放位置とに位置変更可能な咥え側の５枚の第１咥え板１０Ｂ（図８参照）と、を備えている。咥え側保持部１０で版３の咥え側端部を咥えた状態で版胴４を所定角度駆動回転させることにより、版３が版胴４に巻き付けられる。
【００２４】
咥え尻側保持部１１は、前述したように、版胴４に巻き付けられた版３の咥え尻側端部を咥える咥え尻側万力から構成されている。この咥え尻側万力は、溝９内のうちの版胴４の回転方向下流側に固定される第２万力台１１Ａと、第２万力台１１Ａに対向して配置され第２万力台１１Ａとで版３の咥え尻側端部を挟み込んだ状態で保持する閉じ位置と該版３の咥え尻側端部を挟み込んだ状態を解除する開放位置とに位置変更可能な咥え尻側の２枚の第２咥え板１１Ｂ（図８参照）と、を備えている。また、咥え尻側保持部１１は、図示していない移動機構により移動可能に構成されている。この移動により版３の咥え側端部が咥え側保持部１０に、版３の咥え尻側端部が咥え尻側保持部１１にそれぞれ挟み込まれて版胴４に巻き付けられた版３に張力を与えることができる。
【００２５】
版胴４を反時計回りに所定角度駆動回転させて、版３を版胴４に巻き付ける際には、押えローラ１２が移動して版３を版胴４に押し付けながら、版３を版胴４に巻き付ける。版３の巻き付けが終了すると、ブレード１３（図７参照）が移動して版３の咥え尻側端部３Ｂを第２万力台１１Ａに押し付けてから、開放位置の第２咥え板１１Ｂ，１１Ｂが閉じ側に位置変更して版３の咥え尻側端部３Ｂが、咥え尻側保持部１１で挟持される。版３の咥え尻側端部３Ｂが咥え尻側保持部１１で挟持されると、押えローラ１２及びブレード１３が版胴４から離間する側に移動する。これら押えローラ１２及びブレード１３が移動した後に所定角度だけ版胴４を回転させてから、後述するレーザ変位センサ１９で版３の咥え尻側端部３Ｂが咥え尻側保持部１１で良好に挟持されているか否かを検出する。この実施形態では、後述するレーザ変位センサ１９で版３の咥え尻側端部３Ｂを検出し易い位置になるように、版胴４を所定角度回転させるようにしているが、押えローラ１２及びブレード１３が版胴４から離間する側に移動した後、直ちに後述するレーザ変位センサ１９で版３の咥え尻側端部３Ｂを検出する構成であってもよい。
【００２６】
給版装置６は、版３の裏面側を案内する版案内板１４と、版案内板１４に対向して版３の表面側をスムーズに案内するための回転自在な複数のゴムローラ１５と、給版装置６にセットされた版３を幅方向両端部でそれぞれ挟持する挟持部材（図示せず）と、挟持部材で挟持した版３を版胴４側へ移動させるためのエアシリンダ（図示せず）と、を備えている。この実施形態では、版３を挟持部材で挟持する給版装置６を示しているが、版３を幅方向の複数個所で吸引して保持するための複数の吸引パッドを移動可能に備える給版装置であってもよい。
【００２７】
給版装置６は、上側の左右軸芯回りで揺動自在に構成され、下流側前板１６の両側部にそれぞれ備えた伸縮自在なエアシリンダ１７（図１参照）により揺動される。つまり、給版装置６は、エアシリンダ１７の作動により、下端部が版胴４から遠ざかって版３をセットする垂直セット姿勢（図２に示す下流側前板１６と外面が略面一となる姿勢）と、下端部が版胴４に近づく傾斜姿勢となって版３を版胴４に移動（給版）させるための給版姿勢（図１の姿勢参照）と、に姿勢変更可能に構成されている。
【００２８】
第１万力台１０Ａは、版３を位置決めする位置決め部として、版胴４の軸芯方向（以下において幅方向という）に互いに所定距離だけ離間した柱状で一対の突起１８，１８（図１参照、図１では一方のみ図示している）を備えている。また、図示していないが、版３の咥え側端部に、位置決め用凹部として、前記突起１８，１８に係止する被位置決め部としての略半円状の切欠が形成されている。したがって、給版装置６の駆動により版３を版胴４へ移動させて版３の咥え側端部の一対の切欠きが突起１８，１８に係止することで版３の咥え側端部が正規の位置に位置決めされる。
【００２９】
本実施形態の印刷機には、版胴４の咥え側万力（咥え側保持部１０）の正規の位置に位置決めされた版３の咥え側端部が位置する部分までの距離を検出し、版胴４の咥え尻側万力（咥え尻側保持部１１）の正しく巻き付けられた版３の咥え側端部が位置する部分までの距離を検出するセンサとしての非接触式のレーザ変位センサ１９を設けている。レーザ変位センサ１９は、版胴４の回転軸芯方向（幅方向）で離間した２箇所に設けられており、それら一対のレーザ変位センサ１９，１９で、版３の咥え側端部３Ａの幅方向で離間した２箇所、あるいは版３の咥え尻側端部３Ｂの幅方向で離間した２箇所において、版３が正規の位置に位置しているか否かを検出する。図８及び図９に、レーザ変位センサ１９，１９のレーザ光の照射位置を示している。つまり、レーザ変位センサ１９，１９は、レーザ光を図８の幅方向両端側に位置する第１咥え板１０Ｂ，１０Ｂの上側にそれぞれ形成している切欠き部２０Ａ，２０Ｂの位置に照射する。そして、反射してきた反射光の光量に基づいて、版３の咥え側端部３Ａが正規の位置に位置しているか否かを検出する。また、レーザ変位センサ１９，１９は、レーザ光を第２咥え板１１Ｂ，１１Ｂの下側にそれぞれ形成している切欠き部２１Ａ，２１Ｂの位置に照射する。そして、反射してきた反射光の光量に基づいて、版３の咥え尻側端部３Ｂが正規の位置に位置しているか否かを検出する。このように、咥え側万力（咥え側保持部１０）に、切欠き部２０Ａ，２０Ｂを備え、咥え尻側万力（咥え尻側保持部１１）に、切欠き部２１Ａ，２１Ｂを備えるだけなので、特別な部材を用いることなく版３の端部の検出を行うことができる。
【００３０】
一対のレーザ変位センサ１９，１９は、版胴４から離間して（版胴４の外部に）配置されている。具体的には、前記安全カバー８にブラケット２２を介して取り付けられている。このように、レーザ変位センサ１９，１９を開閉自在な安全カバー８に取り付けているので、例えば版胴４の点検保守時に安全カバー８を、図１０に示すように、開放することによって、安全カバー８と一緒にレーザ変位センサ１９，１９が移動することで点検保守時にレーザ変位センサ１９，１９が邪魔になることがない。この実施形態では、上方に安全カバー８が上昇するので、メンテナンス時に版胴４やゴム胴７に使用する溶剤や洗剤などがセンサにかかることがない利点がある。
【００３１】
また、各レーザ変位センサ１９は、斜め上方にレーザ光を照射するように取り付けられ、図２に示すように、レーザ光が版胴４に挿入される版３の咥え側端部３Ａに対して略直交するように照射される。これに対して、図６に示すように、版胴４に巻き付けられた版３の咥え尻側端部３Ｂには、レーザ光が斜めに照射されているが、検出精度に関しては問題がなく、版３の咥え側端部３Ａを検出する場合の検出精度と同等である。各レーザ変位センサ１９，１９は、反射して戻ってきたレーザ光を受光することで反射位置までの距離を検出（演算）する。そして、版３の移動方向先端部（咥え側端部３Ａ）が版胴４の咥え側万力（咥え側保持部１０）に対して正規の位置に位置している場合の正規位置の距離（予め測定している距離又は演算によって設定された距離）との差分である変位量を検出する。その変位量に基づいて、版３の咥え側端部３Ａが版胴４の咥え側万力（咥え側保持部１０）に対して正しく位置しているか否かを判断する。具体的には、前記変位量が予め設定されている許容範囲内にあるか否かを判断し、許容範囲内であれば、版３の咥え側端部３Ａが版胴４の咥え側万力（咥え側保持部１０）に対して正しく位置していると判断し、許容範囲外であれば、版３の咥え側端部３Ａが版胴４の咥え側万力（咥え側保持部１０）に対して正しく位置していないと判断する。なお、版３の咥え側端部３Ａが版胴４の咥え側万力（咥え側保持部１０）に対して正しく位置していないと判断された場合には、版３の挿入不良と判断され、オペレータにブザーやランプ等の報知手段を用いて報知してもよい。
【００３２】
図２〜図４は、版３の咥え側端部の位置をレーザ変位センサ１９で検出している場合を示している。まず、図２では、版３の咥え側端部３Ａが版胴４の咥え側万力（咥え側保持部１０）に対して正しく位置している場合を示している。この場合、給版装置６の駆動により第１万力台１０Ａと第１咥え板１０Ｂとの間に版３の咥え側端部３Ａが挿入され、前述のように突起１８，１８に版３の咥え側端部３Ａの切欠き（図示せず）が係止して版３の咥え側端部が位置決めされた状態においてレーザ変位センサ１９で検出された変位量が許容範囲内となるので、版３の挿入ＯＫと判断され、版３の巻き付け動作に移行することができる。
【００３３】
図３では、版３の咥え側端部３Ａが版胴４の咥え側万力（咥え側保持部１０）に対して正しく位置していない場合を示している。この場合、給版装置６の駆動により第１万力台１０Ａと第１咥え板１０Ｂとの間に版３の咥え側端部３Ａが挿入されず、咥え側万力（咥え側保持部１０）よりも手前で版３の移動が停止した状態である。この状態では、レーザ変位センサ１９から照射されたレーザ光が版３の咥え側端部３Ａに当たらず、レーザ変位センサ１９からより離れた切欠き部２０Ａの奥にある部品２３に当たって反射しており、検出される距離が遠くなるため、上述した変位量が許容範囲外となり、版３の挿入不良と判断され、例えば、給版工程を停止すると共に前記報知手段を作動させる。
【００３４】
図４も図３と同様に、版３の咥え側端部が版胴４の咥え側万力（咥え側保持部１０）に対して正しく位置していない場合を示している。この場合、給版装置６の駆動により第１万力台１０Ａと第１咥え板１０Ｂとの間に版３の咥え側端部３Ａが挿入されず、版３の咥え側端部３Ａが第１咥え板１０Ｂを乗り越えて折り曲がった状態である。この状態では、レーザ変位センサ１９から照射されたレーザ光が第１咥え板１０Ｂの紙面左方に位置している版３の咥え側端部３Ａに当たって反射しており、検出される距離が近くなるため、上述した変位量が許容範囲外となり、版３の挿入不良と判断され、例えば、給版工程を停止すると共に前記報知手段を作動させる。
【００３５】
図５及び図６は、版３の咥え尻側端部３Ｂの位置をレーザ変位センサ１９で検出している場合を示している。図５では、版３の咥え側端部３Ｂが版胴４の咥え尻側万力（咥え尻側保持部１１）で良好に挟持されているため、照射したレーザ光１９Ａが版３の咥え尻側端部３Ｂに当たって反射し、検出された変位量は許容範囲内となることから、咥え尻万力での版３の挟持がＯＫと判断され、次の版３に張力を付与する工程に移行することができる。
【００３６】
図６では、版３に照射したレーザ光１９Ａが版３の咥え尻側端部３Ｂに当たらない場合を示している。この場合、レーザ光１９Ａは、レーザ変位センサ１９からより離れた切欠き部２１Ａの奥にある部品２４に当たって反射する。そのため、距離が長いと判断され、すなわち、上述した変位量が許容範囲外となり、版３の咥え尻側端部３Ｂが咥え尻側万力（咥え尻側保持部１１）で良好に保持されていないと判断される。また、図示していないが、咥え尻側万力（咥え尻側保持部１１）で保持されていない版３の咥え尻側端部３Ｂにレーザ光１９Ａが当たる場合には、距離が短いと検出され、すなわち、上述した変位量が許容範囲外となり、版３の咥え尻側端部３Ｂが咥え尻側万力（咥え尻側保持部１１）で良好に保持されていないと判断される。良好に保持されていないと判断された場合は、例えば、給版工程を停止すると共に前記報知手段を作動させる。
【００３７】
尚、本発明は、前記実施形態に限定されるものではなく、本発明の要旨を逸脱しない範囲で種々の変更が可能である。
【００３８】
例えば、前記実施形態では、変位センサとしてレーザ式の変位センサ１９を用いたが、渦電流式、超音波式、静電容量式のものであってもよい。また、非接触式の変位センサの他、接触式の変位センサであってもよい。この接触式の場合には、距離を検出する度に対象物（ここでは版３）に接触する位置まで伸長させ、その接触した位置から距離を検出し、正規の位置の版３の距離との変位量に基づいて版３が正しい正規の位置に位置していることを検出するようにしてもよい。なお、センサで版３までの距離を検出する他、センサで検出した検出情報を制御部に入力し、制御部で版３までの距離を検出する構成であってもよい。
【００３９】
また、前記実施形態では、変位センサで版３の咥え側端部３Ａと咥え尻側端部３Ｂの両方を検出するように構成したが、版３の咥え側端部３Ａのみを検出するように構成してもよい。また、版３の幅方向で離間した２箇所を検出するように複数（実施形態では２個であるが、３個以上でもよい）の変位センサを設けることによって、版３の両端部３Ａ，３Ｂが咥え側万力（咥え側保持部１０）又は咥え尻側万力（咥え尻側保持部１１）に良好に挿入又は挟持されたか否かを検出することができるが、版３の幅方向１か所のみを検出すべく１個の変位センサを設けて実施してもよい。
【００４０】
また、前記実施形態では、安全カバー８に変位センサ（レーザ変位センサ１９）を取り付けたが、安全カバー８ではなく、例えば側壁１から延ばしたブラケットに変位センサを取り付けてもよい。
【００４１】
また、前記実施形態では、版３の咥え側端部３Ａ又は咥え尻側端部３Ｂが正規の位置に位置していない場合に、咥え側保持部１０の奥にある部品２３又は咥え尻側保持部１１の奥にある部品２４までの距離をセンサで検出することにより、版３の咥え側端部３Ａ又は咥え尻側端部３Ｂが正規の位置に位置している場合の距離との差が大きくなり、版３の咥え側端部３Ａ又は咥え尻側端部３Ｂが正規の位置に位置しているか否かの判断を的確に行える利点があるが、版３の厚みに相当する距離の差で版３の咥え側端部３Ａ又は咥え尻側端部３Ｂが正規の位置に位置しているか否かの判断をするように構成してもよい。つまり、版３の咥え側端部３Ａ又は咥え尻側端部３Ｂが正規の位置に位置していない場合には、照射した光が第１万力台１０Ａ又は第２万力台１１Ａの版３を挟持する面と面一の面に当たり、その反射光量から距離を求めることになるが、その距離は、正規の位置にある版３までの距離に対して版３の厚み分だけ長くなるだけであるため、版３の咥え側端部３Ａ又は咥え尻側端部３Ｂが正規の位置に位置しているか否かの判断に誤りが生じる可能性がある。そのため、この構成の場合は、検出精度の高いセンサであるレーザ変位センサを用いることが望ましい。
【符号の説明】
【００４２】
１…側壁、２…本体、３…版、３Ａ…咥え側端部、３Ｂ…咥え尻側端部、４…版胴、５…インキローラ、６…給版装置、７…ゴム胴、８…安全カバー、９…溝、１０…咥え側保持部、１０Ａ…第１万力台、１０Ｂ…第１咥え板、１１…咥え尻側保持部、１１Ａ…第２万力台、１１Ｂ…第２咥え板、１２…押えローラ、１３…ブレード、１４…版案内板、１５…ゴムローラ、１６…下流側前板、１７…エアシリンダ、１８…突起、１９…レーザ変位センサ、１９Ａ…レーザ光、２０Ａ，２０Ｂ…切欠き部、２１Ａ，２１Ｂ…切欠き部、２２…ブラケット、２３，２４…部品
【図１】
2020175589.tif 000003
【図２】
2020175589.tif 000004
【図３】
2020175589.tif 000005
【図４】
2020175589.tif 000006
【図５】
2020175589.tif 000007
【図６】
2020175589.tif 000008
【図７】
2020175589.tif 000009
【図８】
2020175589.tif 000010
【図９】
2020175589.tif 000011
【図１０】
2020175589.tif 000012